(57)【要約】【課題】  発信者側通信装置と着信者側通信装置との間の通信の回線を制御する音声通信装置および音声通信システムにおいて、発信者が次々と迷惑電話を発信する事と困難とさせて、着信者を迷惑電話から保護する事を目的とする。【解決手段】  発信者側通信装置と着信者側通信装置との間の通信の回線を上記着信者側通信装置に代わって保持する回線保持部と、発信者側通信装置からの呼が迷惑電話であるか否かを判定する迷惑電話判定部と、発信者側通信装置と上記着信者側通信装置との間の通信の回線を制御するものであって、上記迷惑電話判定部が発信者側通信装置からの呼が迷惑電話であると判定した場合に、上記発信者側通信装置と上記着信者側通信装置との間の通信の回線を上記着信者側通信装置に代わって上記回線保持部に保持させるように制御する回線制御部とを備えるようにしたものである。【選択図】        図１
2008005102.tif 000002
【特許請求の範囲】
【請求項１】
発信者側通信装置と着信者側通信装置との間の通信の回線を上記着信者側通信装置に代わって保持する回線保持部と、
発信者側通信装置からの呼が迷惑電話であるか否かを判定する迷惑電話判定部と、
発信者側通信装置と上記着信者側通信装置との間の通信の回線を制御するものであって、上記迷惑電話判定部が発信者側通信装置からの呼が迷惑電話であると判定した場合に、上記発信者側通信装置と上記着信者側通信装置との間の通信の回線を上記着信者側通信装置に代わって上記回線保持部に保持させるように制御する回線制御部と
を備えたことを特徴とする音声通信装置。
【請求項２】
上記着信者側通信装置から出力された接続中の回線を切断する切断信号を検出する回線切断判定部を備え、
上記回線制御部は、発信者側通信装置と上記着信者側通信装置との間の通信の回線が接続されている場合は、上記回線切断判定部で上記着信者側通信装置から出力された切断信号が検出された後に、上記発信者側通信装置と上記着信者側通信装置との間の通信の回線を上記着信者側通信装置に代わって上記回線保持部に保持させるように制御することを特徴とする請求項１に記載の音声通信装置。
【請求項３】
上記迷惑電話判定部は、上記着信者側通信装置から出力された発信者側通信装置からの呼が迷惑電話であることを通知する迷惑電話通知信号に基づいて、上記発信者側通信装置からの呼が迷惑電話であるか否かを判定することを特徴とする請求項１に記載の音声通信装置。
【請求項４】
発信者側通信装置からの呼が迷惑電話であるか否かを判定するための迷惑電話情報を記憶している迷惑電話情報記憶部を備え、
上記迷惑電話判定部は、上記迷惑電話情報記憶部に記憶されている迷惑電話情報を用いて、発信者側通信装置からの呼が迷惑電話であるか否かを判定することを特徴とする請求項１に記載の音声通信装置。
【請求項５】
発信者側通信装置からの呼の発信者番号情報を抽出する発信者番号抽出部を備え、
上記迷惑電話情報記憶部は、上記迷惑電話情報として、迷惑電話の呼の発信者番号情報を記憶している構成にされ、
上記迷惑電話判定部は、上記発信者番号抽出部で抽出された発信者側通信装置からの呼の発信者番号情報と上記迷惑電話情報記憶部に上記迷惑電話情報として記憶されている迷惑電話の発信者番号情報とを照合して、上記発信者側通信装置からの呼が迷惑電話であるか否かを判定することを特徴とする請求項４に記載の音声通信装置。
【請求項６】
発信者側通信装置からの呼の発信者音声の有音／無音パターンを検出する有音／無音検出部を備え、
上記迷惑電話情報記憶部は、上記迷惑電話情報として、迷惑電話の呼の発信者音声の有音／無音パターンを記憶している構成にされ、
上記迷惑電話判定部は、上記有音／無音検出部で検出された発信者側通信装置からの呼の発信者音声の有音／無音パターンと上記迷惑電話情報記憶部に記憶されている迷惑電話の呼の発信者音声の有音／無音パターンとを照合して、上記発信者側通信装置からの呼が迷惑電話であるか否かを判定することを特徴とする請求項４に記載の音声通信装置。
【請求項７】
発信者側通信装置からの呼の発信者音声からキーワードを検出するキーワード検出部を備え、
上記迷惑電話情報記憶部は、上記迷惑電話情報として、迷惑電話の呼の発信者音声に含まれるキーワードを記憶している構成にされ、
上記迷惑電話判定部は、上記キーワード検出部で検出された発信者側通信装置からの呼の発信者音声に含まれていたキーワードと上記迷惑電話情報記憶部に記憶されている迷惑電話の呼の発信者音声に含まれるキーワードとを照合して、上記発信者側通信装置からの呼が迷惑電話であるか否かを判定することを特徴とする請求項４に記載の音声通信装置。
【請求項８】
上記回線保持部に回線が保持されている発信者側通信装置からの呼の発信者音声を録音保存する録音機能部を備えたことを特徴とする請求項１に記載の音声通信装置。
【請求項９】
上記回線保持部が上記着信者側通信装置に代わって回線を保持している時間を計測するタイマー機能部を備え、
上記回線制御部は、上記タイマー機能部が予め設定された所定時間計測するまで、又は、発信者側通信装置から回線を切断されるまで上記発信者側通信装置と上記着信者側通信装置との間の通信の回線を上記着信者側通信装置に代わって上記回線保持部に保持させるように制御することを特徴とする請求項１に記載の音声通信装置。
【請求項１０】
上記回線制御部は、インターネットプロトコルに基づいて回線を制御することを特徴とうする請求項１に記載の音声通信装置。
【請求項１１】
発信者側通信装置と着信者側通信装置との間の通信の回線を上記着信者側通信装置に代わって保持する回線保持部と、
発信者側通信装置からの呼が迷惑電話であるか否かを判定する迷惑電話判定部と、
発信者側通信装置と上記着信者側通信装置との間の通信の回線を制御するものであって、上記迷惑電話判定部が発信者側通信装置からの呼が迷惑電話であると判定した場合に、上記発信者側通信装置と上記着信者側通信装置との間の通信の回線を上記着信者側通信装置に代わって上記回線保持部に保持させるように制御する回線制御部と
を備え、互いに異なる回線を用いて通信を行う複数の音声通信装置と、
上記複数の音声通信装置が制御する複数の回線のいずれかと、複数の着信者側通信装置のいずれかとを接続する交換機と
を有することを特徴とする音声通信システム。
【請求項１２】
上記複数の音声通信装置は、発信者側通信装置からの呼が迷惑電話であるか否かを判定するための迷惑電話情報を記憶している迷惑電話情報記憶部をそれぞれ備え、当該複数の迷惑電話情報記憶部を互いに共有することを特徴とする請求項１１に記載の音声通信システム。
【発明の詳細な説明】
【技術分野】
【０００１】
この発明は、発信者側通信装置と着信者側通信装置との間の通信の回線を制御する音声通信装置および音声通信システムに関するものである。
【背景技術】
【０００２】
着信者を迷惑電話等から保護する技術として、従来、着信者が着信を拒否する電話番号を予め登録したブラックリストや、着信者が着信を許容する電話番号を予め登録したホワイトリストを用いて着信可否を区別して呼接続を行うものがある。例えば、着信者が着信を許容する１つ又は複数個の電話番号を予め着信許可相手番号登録テーブルに登録し、着信呼毎に登録テーブルを検索して相手番号と登録テーブル内の登録番号とを照合し、着信呼の電話番号が登録されていれば着信者に接続し、登録されていない場合には、所定のオペレータ用回線にその着信呼を転送し、オペレータからの着信転送を待って着信者に呼を接続することにより、着信許可相手番号登録テーブルに登録されていない相手からの着信に対してはオペレータが応答し、必要に応じてオペレータが相手氏名・用件等を聞いて、着信者への接続を認める場合にのみ本来の着信者に呼を接続し、着信者が応答するようにするものがある（特許文献１）。
【０００３】
【特許文献１】特開平８−２４２２９４号公報（段落番号［０００８］）
【発明の開示】
【発明が解決しようとする課題】
【０００４】
しかしながら、録音音声及び自動発信装置を用いて電話を掛けてくるような、いわゆる機械的迷惑電話の場合、発信操作が自動であるため、呼を切断した後も、発信者からは機械的に次々と電話が掛けられ、迷惑を被ると言う問題点があった。また、複数の電話番号を持つ事業所のような場合には、その事業所内の電話に迷惑電話が掛けられ、その迷惑電話の呼を切断しても別の電話に直ぐに掛かってきてしまい、迷惑を被ると言う問題点があった。
【０００５】
この発明は上記のような問題点を解決するためになされたもので、発信者が次々と迷惑電話を発信する事と困難とさせて、着信者を迷惑電話から保護する事を目的とする。
【課題を解決するための手段】
【０００６】
この発明に係る音声通信装置は、発信者側通信装置と着信者側通信装置との間の通信の回線を上記着信者側通信装置に代わって保持する回線保持部と、発信者側通信装置からの呼が迷惑電話であるか否かを判定する迷惑電話判定部と、発信者側通信装置と上記着信者側通信装置との間の通信の回線を制御するものであって、上記迷惑電話判定部が発信者側通信装置からの呼が迷惑電話であると判定した場合に、上記発信者側通信装置と上記着信者側通信装置との間の通信の回線を上記着信者側通信装置に代わって上記回線保持部に保持させるように制御する回線制御部とを備えるようにしたものである。
【０００７】
また、この発明に係る音声通信システムは、発信者側通信装置と着信者側通信装置との間の通信の回線を上記着信者側通信装置に代わって保持する回線保持部と、発信者側通信装置からの呼が迷惑電話であるか否かを判定する迷惑電話判定部と、発信者側通信装置と上記着信者側通信装置との間の通信の回線を制御するものであって、上記迷惑電話判定部が発信者側通信装置からの呼が迷惑電話であると判定した場合に、上記発信者側通信装置と上記着信者側通信装置との間の通信の回線を上記着信者側通信装置に代わって上記回線保持部に保持させるように制御する回線制御部とを備え、互いに異なる回線を用いて通信を行う複数の音声通信装置と、上記複数の音声通信装置が制御する複数の回線のいずれかと、複数の着信者側通信装置のいずれかとを接続する交換機とを有するものである。
【発明の効果】
【０００８】
この発明によれば、発信者側通信装置からの呼が迷惑電話である場合に、上記発信者側通信装置と着信者側通信装置との間の通信の回線を上記着信者側通信装置に代わって回線保持部で保持することにより、少なくとも回線が保持されている間は発信者側通信装置の回線が使用されている状態になり、発信者側通信装置から機械的に次々と迷惑電話を掛ける事を抑制し、機械的迷惑電話の連続着信を防止でき、着信者を迷惑電話から保護することができる。
【０００９】
また、この発明によれば、発信者側通信装置からの呼が迷惑電話であると判定した場合に、上記発信者側通信装置と着信者側通信装置との間の通信の回線を上記着信者側通信装置に代わって回線保持部で保持するように構成され、互いに異なる回線を用いて通信を行う音声通信装置を複数備え、上記複数の音声通信装置が制御する複数の回線のいずれかと、複数の着信者側通信装置のいずれかとを接続して音声通信を行う音声通信システムを構成することにより、発信者側通信装置からの呼が迷惑電話であると判定されると、その呼は着信者側通信装置に代わって回線保持部で保持されるので、上記着信者側通信装置は、呼が解放されているため、別の音声通信装置が制御する回線を使用して発信及び着信することが可能となり、着信者を迷惑電話等から保護することができる。
【発明を実施するための最良の形態】
【００１０】
実施の形態１．
図１は、本発明の一実施形態である実施の形態１による音声通信装置の構成を示す構成図である。図１において、音声通信装置１は、発信者側通信装置（図示せず）と着信者側通信装置２との間の通信の回線を制御するものであり、上記音声通信装置１が上記発信者側通信装置と着信者側通信装置２との間の通信回線を接続すると、上記発信者側通信装置を使用する発信者と上記着信者側通信装置２を使用する着信者との通話が可能となる。上記着信者側通信装置２は、例えば、着信者が通話可能な着信者電話機である。
【００１１】
回線保持部１０は、発信者側通信装置と上記着信者側通信装置２との間の通信の回線を上記着信者側通信装置に代わって保持する。迷惑電話判定部１１は、発信者側通信装置からの呼が迷惑電話であるか否かを判定する。回線制御部１２は、発信者側通信装置と上記着信者側通信装置との間の通信の回線を制御するものであって、上記迷惑電話判定部が発信者側通信装置からの呼が迷惑電話であると判定した場合に、上記発信者側通信装置と上記着信者側通信装置との間の通信の回線を上記着信者側通信装置に代わって上記回線保持部に保持させるように制御する。迷惑電話情報記憶部１３は、発信者側通信装置からの呼が迷惑電話であるか否かを判定するための迷惑電話情報を記憶している。本実施の形態では、上記迷惑電話情報として、迷惑電話の呼の発信者番号情報が格納された発信者番号情報リスト１４を記憶している。発信者番号抽出部１５は、発信者側通信装置からの呼の発信者番号情報を抽出する。回線切断判定部１６は、上記着信者側通信装置２から出力された接続中の回線を切断する切断信号を検出する。録音機能部１７は、上記回線保持部１０に回線が保持されている発信者側通信装置からの呼の発信者音声を録音保存する。タイマー機能部１８は、上記回線保持部１０が上記着信者側通信装置２に代わって回線を保持している時間を計測する。回線１９は、発信者側通信装置と音声通信装置１との間の回線である。
【００１２】
なお、本実施の形態において、上記回線制御部１２は、発信者側通信装置と上記着信者側通信装置２との間の通信の回線が接続されている場合は、上記回線切断判定部１６で上記着信者側通信装置２から出力された切断信号が検出された後に、上記発信者側通信装置と上記着信者側通信装置２との間の通信の回線を上記着信者側通信装置２に代わって上記回線保持部に保持させるように制御するように構成されている。
【００１３】
また、上記迷惑電話判定部１１は、上記着信者側通信装置２から出力された発信者側通信装置からの呼が迷惑電話であることを通知する迷惑電話通知信号に基づいて、上記発信者側通信装置からの呼が迷惑電話であるか否かを判定するように構成されている。
【００１４】
また、上記迷惑電話判定部１１は、上記迷惑電話情報記憶部１３に記憶されている迷惑電話情報を用いて、発信者側通信装置からの呼が迷惑電話であるか否かを判定するように構成されており、上記発信者番号抽出部１５で抽出された発信者側通信装置からの呼の発信者番号情報と上記迷惑電話情報記憶部に上記迷惑電話情報として記憶されている迷惑電話の発信者番号情報とを照合して、上記発信者側通信装置からの呼が迷惑電話であるか否かを判定するように構成されている。
【００１５】
また、上記回線制御部１２は、上記タイマー機能部１８が予め設定した所定時間計測するまで、又は、発信者側通信装置から回線を切断されるまで上記発信者側通信装置と上記着信者側通信装置２との間の通信の回線を上記着信者側通信装置２に代わって上記回線保持部に保持させるように制御するように構成されている。
【００１６】
次に動作について説明する。
図２は、本実施の形態の動作の流れを示すフローチャートである。
【００１７】
まず、発信者側通信装置からの呼が回線１９を通して音声通信装置１に到達すると、発信者番号抽出部１５が発信者側通信装置からの呼の発信者番号情報を抽出する（ステップＳ１）。次に、迷惑電話判定部１１は、上記発信者番号抽出部１５で抽出された発信者側通信装置からの呼の発信者番号情報と迷惑電話情報記憶部１３に上記迷惑電話情報として記憶されている迷惑電話の発信者番号情報リスト１４の発信者番号情報とを照合して、上記発信者側通信装置からの呼が迷惑電話であるか否かを判定する（ステップＳ２）。当該判定結果に基づいて、回線制御部１２は、発信者側通信装置と上記着信者側通信装置２との間の通信の回線を制御する。
【００１８】
上記迷惑電話判定部１１が迷惑電話でないと判定した場合（ステップＳ２でＮｏ）は、上記回線制御部１２は、上記発信者側通信装置と上記着信者側通信装置２との間の通信の回線を接続する（ステップＳ３）。上記発信者側通信装置と上記着信者側通信装置２との間の通信の回線が接続されると、発信者と着信者は、通話可能となり、着信者は、発信者からの音声を聞き取ることが可能となる。
【００１９】
その後、回線制御部１２で、上記着信者着信者側通信装置２からの回線切断が検知されず（ステップＳ５でＮｏ）、上記発信者側通信装置からの回線切断も検知されない（ステップＳ６でＮｏ）間は、上記発信者側通信装置と上記着信者側通信装置２との間の通信の回線は、接続されて、迷惑電話判定部１１は、上記発信者側通信装置からの呼が迷惑電話であるか否かを判定する（ステップＳ４）。
【００２０】
本実施の形態では、予め、音声通信装置１と上記着信者側通信装置２との間で、上記着信者側通信装置２から上記音声通信装置１に、上記着信者側通信装置２から出力された発信者側通信装置からの呼が迷惑電話であることを通知する所定の迷惑電話通知信号が通知された場合に、接続中の回線が迷惑電話であると判定すると設定されており、上記迷惑電話判定部１１は、上記着信者側通信装置２から上記迷惑電話通知信号が通知されたか否かに基づいて、上記発信者側通信装置からの呼が迷惑電話であるか否かを判定する。
【００２１】
例えば、上記着信者側通信装置２に着信した呼に対し、着信者が迷惑電話であると判断した場合、上記着信者は、上記着信者側通信装置２から上記迷惑電話通知信号を出力させるための操作を行う。例えば、上記着信者は、「＃＃＃」とダイヤルボタンを押す。この操作により、上記着信者側通信装置２から上記音声通信装置１に、迷惑電話通知信号が通知される。当該通知を検知して、上記迷惑電話判定部１１は、上記発信者側通信装置からの呼が迷惑電話であると判定し、その判定結果を回線制御部１２に通知する。
【００２２】
また、本実施の形態では、上記迷惑電話判定部１１が、上記発信者側通信装置からの呼が迷惑電話であると判定した場合、上記迷惑電話判定部１１は、上記発信者番号抽出部１５で抽出された発信者番号情報を発信者番号情報リスト１４に追加し、迷惑電話情報記憶部１３に記憶させておく。
【００２３】
上記発信者側通信装置と上記着信者側通信装置２との間の通信の回線が接続された後、回線制御部１２が上記発信者側通信装置からの回線切断を検知すると（ステップＳ６でＹｅｓ）、上記回線制御部１２は、上記発信者側通信装置と上記着信者側通信装置２との間の通信の回線を切断する（ステップＳ１１）。
【００２４】
また、上記発信者側通信装置と上記着信者側通信装置２との間の通信の回線が接続された後、着信者が電話を切る操作をすると、着信者側通信装置２から接続中の回線を切断する切断信号が音声通信装置１に通知される。回線切断判定部１６は、上記着信者側通信装置２からの切断信号を検出して、当該検出結果を回線制御部１２に通知する。この通知によって、回線制御部１２が上記着信者側通信装置２からの回線切断を検知すると（ステップＳ５でＹｅｓ）、上記回線制御部１２は、上記発信者側通信装置からの呼が迷惑電話であるか否かに基づいて、回線を制御する。
【００２５】
本実施の形態では、上記発信者側通信装置と上記着信者側通信装置２との間の通信の回線が接続されてから上記発信者側通信装置又は上記着信者側通信装置２のいずれかから切断信号が音声通信装置１に通知されるまでの間に、上記迷惑電話判定部１１から上記発信者側通信装置からの呼が迷惑電話であると判定した判定結果が通知された場合に、回線制御部１２は、迷惑電話であると判定する。
【００２６】
上記発信者側通信装置からの呼が迷惑電話である場合は（ステップＳ７でＹｅｓ）、回線制御部１２は、上記着信者側通信装置２からの回線切断が検知されたことを上記発信者側通信装置に通知することなく、上記発信者側通信装置と上記着信者側通信装置２との間の通信の回線を上記着信者側通信装置２に代わって回線保持部１０に保持させるように制御するとともに（ステップＳ８）、回線保持部１０に保持させるように制御を切り替えた旨をタイマー機能部１８に通知する。当該通知に応じて、タイマー機能部１８は、計測を開始し、予め設定された所定時間経過後にタイマーが満了した旨を上記回線制御部１２に通知する。
【００２７】
その後、回線制御部１２で、上記タイマー機能部１８からのタイマーが満了した旨の通知が検知されず（ステップＳ９でＮｏ）、上記発信者側通信装置からの回線切断も検知されない（ステップＳ１０でＮｏ）間は、上記発信者側通信装置と上記回線保持部１０との間の通信の回線は、接続され、保持し続けられ、録音機能部１７が回線保持部１０で保持されている発信者側通信装置からの呼の発信者音声を録音保存する。
【００２８】
このように、着信者が電話を切る操作をした後も、回線保持部１０で回線が保持し続けられる事により、少なくとも回線が保持されている間は発信者側通信装置の回線が使用されている状態になる。したがって、着信者が電話を切る操作をした後に発信者側通信装置から機械的に次々と迷惑電話を掛ける事を抑制し、機械的迷惑電話の連続着信を防止できる。
【００２９】
回線制御部１２が上記タイマー機能部１８からのタイマーが満了した旨の通知を検知した（ステップＳ９でＹｅｓ）、又は、上記発信者側通信装置からの回線切断を検知した（ステップＳ１０でＹｅｓ）場合は、回線制御部１２は、上記発信者側通信装置と上記回線保持部１０との間の通信の回線を切断する（ステップＳ１１）。
【００３０】
一方、上記発信者側通信装置からの呼が迷惑電話でない場合は（ステップＳ７でＮｏ）、回線制御部１２は、上記回線制御部１２は、上記発信者側通信装置と上記着信者側通信装置２との間の通信の回線を切断する（ステップＳ１１）。本実施の形態では、上記発信者側通信装置と上記着信者側通信装置２との間の通信の回線が接続されてから上記発信者側通信装置又は上記着信者側通信装置２のいずれかから切断信号が音声通信装置１に通知されるまでの間に、上記迷惑電話判定部１１から上記発信者側通信装置からの呼が迷惑電話であると判定した判定結果が通知されなかった場合には、回線制御部１２は、迷惑電話ではないと判定する。
【００３１】
また、過去に迷惑電話と判定され、その発信者番号情報が迷惑電話情報記憶部１３の発信者番号情報リスト１４に記憶されている発信者側通信装置から再び着信があった場合には、迷惑電話判定部１１は、上記発信者番号抽出部１５で抽出された発信者側通信装置からの呼の発信者番号情報と迷惑電話情報記憶部１３に上記迷惑電話情報として記憶されている迷惑電話の発信者番号情報リスト１４の発信者番号情報とを照合して、上記発信者側通信装置からの呼が迷惑電話であると判定する（ステップＳ２でＹｅｓ）。この判定結果に基づいて、回線制御部１２は、上記発信者側通信装置と上記着信者側通信装置２との間の通信の回線を上記着信者側通信装置２に代わって回線保持部１０に保持させるように制御するとともに（ステップＳ８）、回線保持部１０に保持させるように制御を切り替えた旨をタイマー機能部１８に通知する。この際、上記着信者側通信装置２で着信音が鳴らないように構成してもよい。以降、前述の上記ステップＳ９から上記ステップＳ１１と同様に動作する。
【００３２】
このように、着信者通信装置２に回線を接続せずに、上記発信者側通信装置と上記着信者側通信装置２との間の通信の回線を上記着信者側通信装置２に代わって回線保持部１０に保持させることにより、着信者が着信に対して応答、操作しなくても、回線保持部１０で回線が保持し続けられる事により、少なくとも回線が保持されている間は発信者側通信装置の回線が使用されている状態になる。したがって、発信者側通信装置から機械的に次々と迷惑電話を掛ける事を抑制し、機械的迷惑電話の連続着信を防止できる。
【００３３】
以上のように、本実施の形態によれば、発信者側通信装置からの呼が迷惑電話である場合に、上記発信者側通信装置と着信者側通信装置２との間の通信の回線を上記着信者側通信装置２に代わって回線保持部１０で保持することにより、少なくとも回線が保持されている間は発信者側通信装置の回線が使用されている状態になり、発信者側通信装置から機械的に次々と迷惑電話を掛ける事を抑制し、機械的迷惑電話の連続着信を防止でき、着信者を迷惑電話から保護することができる。
【００３４】
機械的迷惑電話の場合、着信者側で呼を切断すれば直ぐに同じ着信先、或いは、異なる着信先に電話を掛ける事となり、着信者側で直ぐに呼を切断すればするほど、迷惑電話で被害を被る着信者が増える事となるが、本実施の形態によれば、例えば、着信者が電話を切る操作をした後も、回線保持部１０で回線が保持し続けられる事により、少なくとも回線が保持されている間は発信者側通信装置の回線が使用されている状態になり、発信者側通信装置から機械的に次々と迷惑電話を掛ける事を抑制し、機械的迷惑電話の連続着信を防止でき、着信者を迷惑電話から保護することができる。また、従来のように、オペレータによる応答が不要であり、着信側の負担を軽減できる。
【００３５】
また、本実施の形態によれば、発信者側通信装置と着信者側通信装置２との間の通信の回線が接続されている場合は、上記着信者側通信装置２から出力された切断信号が検出された後に、発信者側通信装置と上記着信者側通信装置２との間の通信の回線を上記着信者側通信装置２に代わって上記回線保持部１０で保持することにより、着信者による回線切断操作に応じて回線制御することができる。
【００３６】
また、本実施の形態によれば、迷惑電話判定部１１が、着信者側通信装置２から出力された発信者側通信装置からの呼が迷惑電話であることを通知する迷惑電話通知信号に基づいて、発信者側通信装置からの呼が迷惑電話であるか否かを判定することにより、着信者による迷惑電話であるか否かの判断結果に応じて回線制御することができる。
【００３７】
また、本実施の形態によれば、迷惑電話判定部１１が、迷惑電話情報記憶部１３に記憶されている迷惑電話情報を用いて、発信者側通信装置からの呼が迷惑電話であるか否かを判定することにより、着信者が迷惑電話であるか否かの判断をしなくても、迷惑電話であるか否かの判断がされ、回線制御することができるので、着信者の操作を削減することができる。
【００３８】
また、本実施の形態によれば、迷惑電話判定部１１が、発信者側通信装置からの呼の発信者番号情報と迷惑電話情報記憶部１３に記憶されている迷惑電話の発信者番号情報とを照合して、上記発信者側通信装置からの呼が迷惑電話であるか否かを判定することにより、発信者側通信装置と着信者側通信装置との間の通信の回線を接続する前に迷惑電話であるか否かの判断ができるので、着信者が迷惑電話に応答しないようにすることができる。
【００３９】
また、本実施の形態によれば、回線保持部１０に回線が保持されている発信者側通信装置からの呼の発信者音声を録音保存する録音機能部１７を備えたことにより、回線を切断した後も上記発信者側通信装置からの呼の発信者音声を利用することが可能となる。
【００４０】
また、本実施の形態によれば、回線保持部が着信者側通信装置２に代わって回線を保持している時間を計測するタイマー機能部を備え、当該タイマー機能部が予め設定された所定時間計測されるまで、又は、発信者側通信装置から回線を切断されるまで発信者側通信装置と着信者側通信装置２との間の通信の回線を上記着信者側通信装置２に代わって回線保持部１０で保持することにより、上記回線保持部１０による回線の保持時間を制御することができる。
【００４１】
実施の形態２．
図３は、本発明の一実施形態である実施の形態２による音声通信装置の構成を示す構成図であり、前述の図と同一又は相当部分に同一符号を付して説明を省略する。図3において、有音／無音検出部２０は、発信者側通信装置からの呼の発信者音声の有音／無音パターンを検出するものである。
【００４２】
なお、本実施の形態において、迷惑電話情報記憶部１３は、迷惑電話情報として、発信者番号情報リスト１４に加え、迷惑電話の呼の発信者音声の有音／無音パターンが格納された音声パターンリスト２１を記憶している。また、迷惑電話判定部１１は、上記有音／無音検出部２０で検出された発信者側通信装置からの呼の発信者音声の有音／無音パターンと上記迷惑電話情報記憶部１３に記憶されている迷惑電話の呼の発信者音声の有音／無音パターンとを照合して、上記発信者側通信装置からの呼が迷惑電話であるか否かを判定可能に構成されている。
【００４３】
次に動作について説明する。なお、本実施の形態の基本的な動作の流れは、前述の実施の形態１と同様であるため、本実施の形態における特徴部分を説明する。
【００４４】
図２のフローチャートにおいて、ステップＳ３で、発信者側通信装置と上記着信者側通信装置２との間の通信の回線が接続され、発信者と着信者が通話可能となり、上記発信者側通信装置からの呼の発信者音声が音声通信装置１で受信されると、ステップＳ４において、迷惑電話判定部１１は、発信者音声の有音／無音パターンに基づいて、上記発信者側通信装置からの呼が迷惑電話であるか否かを判定する。
【００４５】
まず、上記発信者側通信装置からの呼の発信者音声が音声通信装置１で受信されると、有音／無音検出部２０が、上記受信された発信者音声から有音／無音パターンを検出し、その結果を迷惑電話判定部１１に通知する。迷惑電話判定部１１は、上記有音／無音検出部２０で検出された発信者側通信装置からの呼の発信者音声の有音／無音パターンと、迷惑電話情報記憶部１３に迷惑電話情報として記憶されている音声パターンリスト２１に格納された迷惑電話の呼の発信者音声の有音／無音パターンとを照合して、上記発信者側通信装置からの呼が迷惑電話であるか否かを判定し、当該判定結果を回線制御部１２に通知する。
【００４６】
また、上記迷惑電話判定部１１が、上記発信者側通信装置からの呼が迷惑電話であると判定した場合、上記迷惑電話判定部１１は、上記発信者番号抽出部１５で抽出された発信者番号情報を発信者番号情報リスト１４に追加し、迷惑電話情報記憶部１３に記憶させておく。
【００４７】
このように、発信者音声の有音／無音パターンに基づいて、上記発信者側通信装置からの呼が迷惑電話であるか否かを判定することにより、着信者が迷惑電話であるか否かの判断をしなくても、迷惑電話であるか否かの判断がされ、回線制御することができるので、着信者の操作を削減することができる。
【００４８】
図４は、有音／無音検出部２０の動作を説明するための説明図である。
所定の有音検出閾値が設定され、発信者音声において、上記有音検出閾値を越える大きさの音声部分は「有音」と判定し、上記有音検出閾値を超えない大きさの音声部分は「無音」と判定される。この判定結果による有音／無音パターンが有音／無音検出部２０の出力となる。
【００４９】
なお、有音／無音パターンの検出は、上記の技術に限定されるものではなく、発信者音声から有音／無音パターンを検出できる技術であれば、上記以外の技術に置き換え可能であることはいうまでもない。
【００５０】
以上のように、本実施の形態によれば、前述の実施の形態の効果に加え、発信者音声の有音／無音パターンに基づいて、上記発信者側通信装置からの呼が迷惑電話であるか否かを判定することにより、着信者が迷惑電話であるか否かの判断をしなくても、迷惑電話であるか否かの判断がされ、回線制御することができるので、着信者の操作を削減することができる。
【００５１】
なお、本実施の形態において、音声パターンリスト２１に格納されている迷惑電話の有音／無音パターンは、外部からそのパターンデータを更新可能に構成してもよい。また、着信者が迷惑電話であると判断した場合、上記着信者は、着信者側通信装置２から上記迷惑電話通知信号を出力させるための操作を行う。例えば、上記着信者は、「＃＃＃」とダイヤルボタンを押す。この操作により、上記着信者側通信装置２から上記音声通信装置１に、迷惑電話通知信号が通知され、当該通知を迷惑電話判定部１１が検知した時点で観測できた有音／無音パターンを新たな迷惑電話の有音／無音パターンとして記憶するように構成してもよい。
【００５２】
実施の形態３．
図４は、本発明の一実施形態である実施の形態３による音声通信装置の構成を示す構成図であり、前述の図と同一又は相当部分に同一符号を付して説明を省略する。キーワード検出部３０は、発信者側通信装置からの呼の発信者音声からキーワードを検出するものである。
【００５３】
なお、本実施の形態において、迷惑電話情報記憶部１３は、迷惑電話情報として、発信者番号情報リスト１４に加え、迷惑電話の呼の発信者音声に含まれるキーワードが格納されたキーワードリスト３１を記憶している。また、迷惑電話判定部１１は、上記キーワード検出部３０で検出された発信者側通信装置からの呼の発信者音声に含まれていたキーワードと上記迷惑電話情報記憶部に記憶されている迷惑電話の呼の発信者音声に含まれるキーワードとを照合して、上記発信者側通信装置からの呼が迷惑電話であるか否かを判定可能に構成されている。
【００５４】
次に動作について説明する。なお、本実施の形態の基本的な動作の流れは、前述の実施の形態１と同様であるため、本実施の形態における特徴部分を説明する。
【００５５】
図２のフローチャートにおいて、ステップＳ３で、発信者側通信装置と上記着信者側通信装置２との間の通信の回線が接続され、発信者と着信者が通話可能となり、上記発信者側通信装置からの呼の発信者音声が音声通信装置１で受信されると、ステップＳ４において、迷惑電話判定部１１は、発信者音声に含まれていたキーワードに基づいて、上記発信者側通信装置からの呼が迷惑電話であるか否かを判定する。
【００５６】
まず、上記発信者側通信装置からの呼の発信者音声が音声通信装置１で受信されると、キーワード検出部３０が、上記受信された発信者音声に含まれていたキーワードを検出し、その結果を迷惑電話判定部１１に通知する。迷惑電話判定部１１は、上記キーワード検出部３０で検出された発信者側通信装置からの呼の発信者音声に含まれていたキーワードと、迷惑電話情報記憶部１３に迷惑電話情報として記憶されているキーワードリスト３１に格納された迷惑電話の呼の発信者音声に含まれるキーワードとを照合して、上記発信者側通信装置からの呼が迷惑電話であるか否かを判定し、当該判定結果を回線制御部１２に通知する。例えば、キーワードを照合した結果、一致したキーワードの出現率を計算して、所定の閾値よりもキーワード出現率が高くなったならば、その呼は迷惑電話であると判断する。
【００５７】
また、上記迷惑電話判定部１１が、上記発信者側通信装置からの呼が迷惑電話であると判定した場合、上記迷惑電話判定部１１は、上記発信者番号抽出部１５で抽出された発信者番号情報を発信者番号情報リスト１４に追加し、迷惑電話情報記憶部１３に記憶させておく。
【００５８】
このように、発信者音声に含まれていたキーワードに基づいて、上記発信者側通信装置からの呼が迷惑電話であるか否かを判定することにより、着信者が迷惑電話であるか否かの判断をしなくても、迷惑電話であるか否かの判断がされ、回線制御することができるので、着信者の操作を削減することができる。
【００５９】
以上のように、本実施の形態によれば、前述の実施の形態の効果に加え、発信者音声に含まれていたキーワードに基づいて、上記発信者側通信装置からの呼が迷惑電話であるか否かを判定することにより、着信者が迷惑電話であるか否かの判断をしなくても、迷惑電話であるか否かの判断がされ、回線制御することができるので、着信者の操作を削減することができる。
【００６０】
なお、本実施の形態において、キーワードリスト部３１に格納されている迷惑電話のキーワードは、外部からそのキーワードデータを更新可能に構成してもよい。また、着信者が迷惑電話であると判断した場合、上記着信者は、着信者側通信装置２から上記迷惑電話通知信号を出力させるための操作を行う。例えば、上記着信者は、「＃＃＃」とダイヤルボタンを押す。この操作により、上記着信者側通信装置２から上記音声通信装置１に、迷惑電話通知信号が通知され、当該通知を迷惑電話判定部１１が検知した時点で観測できたキーワードを新たな迷惑電話のキーワードとして記憶するように構成してもよい。
【００６１】
実施の形態４．
次に、前述の実施の形態１から実施の形態３のいずれかの音声通信装置について、交換機と共に適用される音声通信システムを構成した場合の実施の形態４について説明する。
【００６２】
図６は、本発明の一実施形態である実施の形態４による音声通信システムの構成を示す構成図であり、前述の図と同一又は相当部分に同一符号を付して説明を省略する。複数の音声通信装置１は、互いに異なる回線を用いて通信を行うものであり、交換機３は、複数の音声通信装置１が制御する複数の回線のいずれかと、複数の着信者側通信装置２のいずれかとを接続する。
また、上記複数の音声通信装置１は、発信者側通信装置からの呼が迷惑電話であるか否かを判定するための迷惑電話情報を記憶している迷惑電話情報記憶部１４をそれぞれ備え、当該複数の迷惑電話情報記憶部を互いに共有するように構成されている。
【００６３】
このように、上記複数の音声通信装置１が制御する複数の回線のいずれかと、複数の着信者側通信装置２のいずれかとを接続して音声通信を行う音声通信システムを構成することにより、発信者側通信装置からの呼が迷惑電話であると判定されると、その呼は着信者側通信装置２に代わって回線保持部１０で保持されるので、上記着信者側通信装置２は、呼が解放されているため、別の音声通信装置１が制御する回線を使用して発信及び着信することが可能となる。
【００６４】
以上のように、本実施の形態によれば、発信者側通信装置からの呼が迷惑電話であると判定した場合に、上記発信者側通信装置と着信者側通信装置との間の通信の回線を上記着信者側通信装置に代わって回線保持部で保持するように構成され、互いに異なる回線を用いて通信を行う音声通信装置１を複数備え、上記複数の音声通信装置が制御する複数の回線のいずれかと、複数の着信者側通信装置のいずれかとを接続して音声通信を行う音声通信システムを構成することにより、発信者側通信装置からの呼が迷惑電話であると判定されると、その呼は着信者側通信装置に代わって回線保持部で保持されるので、上記着信者側通信装置は、呼が解放されているため、別の音声通信装置が制御する回線を使用して発信及び着信することが可能となり、着信者を迷惑電話等から保護することができる。
【００６５】
また、本実施の形態によれば、複数の音声通信装置１が各々備えている迷惑電話情報記憶部１３を互いに共有するように構成することにより、記憶容量を削減できる。
【００６６】
また、以上の実施の形態１から実施の形態４の音声通信装置１において、回線制御部１２をインターネットプロトコルに基づいて回線を制御するように構成してもよい。これにより、インターネットプロトコル上で通信可能となり、いわゆるＩＰ電話における機械的迷惑電話に対して、前述の実施の形態と同様の効果を得ることができる。
【図面の簡単な説明】
【００６７】
【図１】この発明の実施の形態１による音声通信装置の構成を示す構成図である。
【図２】この発明の実施の形態１の動作の流れを示すフローチャートである。
【図３】この発明の実施の形態２による音声通信装置の構成を示す構成図である。
【図４】有音／無音検出部２０の動作を説明する説明図である。
【図５】この発明の実施の形態３による音声通信装置の構成を示す構成図である。
【図６】この発明の実施の形態４による音声通信装置の構成を示す構成図である。
【符号の説明】
【００６８】
１  音声通信装置、２  着信者側通信装置、３  交換機、１０  回線保持部、１１  迷惑電話判定部、１２  回線制御部、１３  迷惑電話情報記憶部、１４  発信者番号情報リスト、１５  発信者番号抽出部、１６  回線切断判定部、１７  録音機能部、１８  タイマー機能部、１９  回線、２０  有音／無音検出部、２１  音声パターンリスト、３０  キーワード抽出部、３１  キーワードリスト。
【図１】
2008005102.tif 000003
【図２】
2008005102.tif 000004
【図３】
2008005102.tif 000005
【図４】
2008005102.tif 000006
【図５】
2008005102.tif 000007
【図６】
2008005102.tif 000008